(57)【要約】【課題】経済的かつコンパクトに構成することができる履物反転装置を提供する。【解決手段】履物反転装置１００は、設置面Ｇ上に配置されるベース体１０１を備えている。ベース体１０１は、円板状の底板部１０１ａの外縁部に起立した状態で内壁部１０１ｂが形成されている。ベース体１０１内には、載置台駆動軸１０２、割出回転体１０３、作動アーム１０９、駆動源１１０および回動引掛け片１０６が設けられている。作動アーム１０９は、板バネ状の駆動源１１０の伸縮によって回動引掛け片１０６を変位させる変位拡大機構としてのてこを構成する。回動引掛け片１０６は、割出回転体１０３の上面に設けられた係合体１０５を引っ掛けて割出回転体１０６を介して載置台駆動軸１０２を回転駆動する。ベース体１０１の上方には、載置台駆動軸１０２に固定されるとともに支持スプリング１１５に支持された状態で履物Ｓを支持する回転載置台１１８が設けられている。【選択図】  図１
2014168673.tif 000002
【特許請求の範囲】
【請求項１】
設置面上に載置される底板部の外縁部に起立した状態で内壁部が形成されたベース体と、
前記ベース体における前記底板部に対向配置された平板状の載置部の外縁部に前記ベース体の外側に配置される外壁部が下垂した状態で形成された回転載置台と、
前記ベース体内に配置されて前記回転載置台を上下動可能に弾性的に支持する弾性支持体と、
前記回転載置台を前記ベース体に対して回転変位させる回転変位機構とを備え、
前記回転載置台は、
前記外壁部が前記回転載置台上に人が載って下降したとき前記設置面上に載置される長さに形成されていることを特徴とする履物反転装置。
【請求項２】
請求項１に記載した履物反転装置において、
前記回転変位機構は、
前記回転載置台に連結した載置台駆動軸と、
前記載置台駆動軸に回転駆動力を伝達可能に連結された円板体の表面に周方向に沿って複数の係合体が設けられた割出回転体と、
前記ベース体内にて前記底板部に平行に延びる棒状に形成されててこを構成する作動アームと、
前記回転載置台の上下動に応じて前記作動アームにおける支点からの距離が短い方の端部を変位させる入力側駆動手段と、
前記作動アームにおける支点からの距離が長い方の端部に可動的に連結された状態で前記割出回転体における前記係合体側への力を受けながら同係合体の一部に掛けられる回動引掛け片とを備えていることを特徴とする履物反転装置。
【請求項３】
請求項２に記載した履物反転装置において、
前記作動アームは、さらに、
前記回転載置台が上昇位置にあるとき前記割出回転体における前記係合体の他の一部に掛けられるロック引掛け片を備えることを特徴とする履物反転装置。
【請求項４】
請求項２または請求項３に記載した履物反転装置において、
前記回転変位機構は、さらに、
前記割出回転体または前記載置台駆動軸に対して弾性的に接触して同割出回転体または同載置台駆動軸の回転駆動に負荷を与える回転変位抑制手段を備えることを特徴とする履物反転装置。
【請求項５】
請求項２ないし請求項４のうちのいずれか１つに記載した履物反転装置において、
前記回転変位機構は、さらに、
前記回転載置台が上昇する際の前記作動アームの変位に対して負荷を与える負荷付与手段を備えることを特徴とする履物反転装置。
【発明の詳細な説明】
【技術分野】
【０００１】
本発明は、脱いだ履物の向きを自動的に反転させる履物反転装置に関する。
【背景技術】
【０００２】
一般に、靴やスリッパなどの履物を脱いだ際には、脱いだ履物の向きを反転させて揃えることが行われている。しかし、履物の向きを揃える作業は、煩雑であるとともに衛生上や身体上の都合によって脱いだ履物を揃えることができず脱いだ状態で放置せざるを得ない場合もある。このため、従来から、脱いだ履物の向きを自動的に反転させて揃える履物反転装置が提案されている。例えば、下記特許文献１には、履物反転装置が設置される設置面上に配置されるベース体に人が載る回転載置台が上下動および回転変位可能な状態で組み付けられた履物反転装置が開示されている。
【先行技術文献】
【特許文献】
【０００３】
【特許文献１】登録実用新案第３１４５９５４号公報
【０００４】
しかしながら、上記した履物反転装置においては、人が載る回転載置台がベース体によって支持されているため、回転載置台に加えてベース体も人の荷重に耐えられる強度を備える必要があり、履物反転装置を経済的およびコンパクトに構成することが困難であるという問題があった。
【０００５】
本発明は上記問題に対処するためなされたもので、その目的は、経済的かつコンパクトに構成することができる履物反転装置を提供することにある。
【発明の概要】
【０００６】
上記目的を達成するため、本発明の特徴は、設置面上に載置される底板部の外縁部に起立した状態で内壁部が形成されたベース体と、ベース体における底板部に対向配置された平板状の載置部の外縁部に前記ベース体の外側に配置される外壁部が下垂した状態で形成された回転載置台と、ベース体内に配置されて回転載置台を上下動可能に弾性的に支持する弾性支持体と、回転載置台を前記ベース体に対して回転変位させる回転変位機構とを備え、回転載置台は、外壁部が回転載置台上に人が載って下降したとき設置面上に載置される長さに形成されていることにある。
【０００７】
このように構成した本発明の特徴によれば、履物反転装置は、人が載って履物を脱ぎ履きする回転載置台が履物反転装置の設置面上に配置されるベース体の外側に下垂した外壁部を備えるとともに、この外壁部が回転載置台上に人が載って下降した場合において設置面上に載置される長さに形成されている。すなわち、履物反転装置は、人が載って履物を脱ぎ履きする回転載置台が回転載置台上に人が載った場合において履物反転装置の設置面によって支持されるため、ベース体は人が載った状態の回転載置台を支持することがない。これにより、履物反転装置は、ベース体を従来に比べて簡単に構成することができるため、装置全体を経済的かつコンパクトに構成することができる。また、この履物反転装置は、人が載った際に回転載置台が設置面に押し付けられるため、人が載った際の回転変位を簡単な構成で防止できるとともに回転載置台がベース体を介することなく直接設置面に支持されるため人が載った際の安定性を向上させることができる。
【０００８】
また、本発明の他の特徴は、前記履物反転装置において、回転変位機構は、回転載置台に連結した載置台駆動軸と、載置台駆動軸に回転駆動力を伝達可能に連結された円板体の表面に周方向に沿って複数の係合体が設けられた割出回転体と、ベース体内にて底板部に平行に延びる棒状に形成されててこを構成する作動アームと、回転載置台の上下動に応じて作動アームにおける支点からの距離が短い方の端部を変位させる入力側駆動手段と、作動アームにおける支点からの距離が長い方の端部に可動的に連結された状態で割出回転体における係合体側への力を受けながら同係合体の一部に掛けられる回動引掛け片とを備えていることにある。
【０００９】
このように構成した本発明の他の特徴によれば、履物反転装置は、回転載置台を回転変位させる回転変位機構が、主として、回転載置台を回転させるための割出回転体とこの割出回転体を回転させるための作動アーム、入力側駆動手段および回動引掛け片からなるてこによって構成されている。これにより、履物反転装置は、ベース体および回転載置台の高さを低く抑えることができ、設置性および使用感を向上させることができる。
【００１０】
また、本発明の他の特徴は、前記履物反転装置において、作動アームは、さらに、回転載置台が上昇位置にあるとき割出回転体における係合体の他の一部に掛けられるロック引掛け片を備えることにある。
【００１１】
このように構成した本発明の他の特徴によれば、履物反転装置は、回転変位機構を構成する作動アームに回転載置台が上昇位置にあるとき係合体の他の一部に掛けられるロック引掛け片が設けられているため、回転載置台が上昇位置にあるときにおける回転載置台の回転変位を防止することができる。また、履物反転装置は、回転載置台の下降による作動アームの作動時には簡単に割出回転体のロック状態を解除することができる。
【００１２】
また、本発明の他の特徴は、履物反転装置において、回転変位機構は、さらに、割出回転体または載置台駆動軸に対して弾性的に接触して同割出回転体または載置台駆動軸の回転駆動に負荷を与える回転変位抑制手段を備えることにある。
【００１３】
このように構成した本発明の他の特徴によれば、履物反転装置は、割出回転体または載置台駆動軸に対して弾性的に接触して同割出回転体の回転駆動に負荷を与える回転変位抑制手段を備えているため、回転載置台の下降による作動アームおよび回動引掛け片の作動時において載置台駆動軸の不意な回転変位を防止して回転載置台を精度良く回転変位させることができる。
【００１４】
また、本発明の他の特徴は、前記履物反転装置において、回転変位機構は、さらに、回転載置台が上昇する際の作動アームの変位に対して負荷を与える負荷付与手段を備えることにある。
【００１５】
このように構成した本発明の他の特徴によれば、履物反転装置は、回転載置台が上昇する際の作動アームの変位に対して負荷を与える負荷付与手段を備えているため、回転載置台の下降後回転しながら上昇する作動の開始にタイムラグを与えることができるとともにこの作動過程をゆっくり行うことができる。これにより、履物反転装置は、使用者が履物を脱いで回転載置台上から退避した後、ゆっくりと回転動作を開始するため、回転載置台上からの退避の障害とならず使用感を向上させることができる。
【図面の簡単な説明】
【００１６】
【図１】本発明の一実施形態に係る履物反転装置の外観構成を概略的に示す斜視図である。
【図２】図１に示す履物反転装置の内部構造を説明するために回転載置台を省略した状態を概略的に示す平面図である。
【図３】図１に示す履物反転装置の内部構造の概略を回転載置台および中敷天板を破断した状態で示す一部破断正面図である。
【図４】図２に示す矢印３方向から見た駆動源の側面図である。
【図５】図２に示す履物反転装置の作動過程を説明するために使用者が載った状態の一過程を概略的に示す平面図である。
【図６】図３に示す履物反転装置の作動過程を説明するために使用者が載った状態の一過程を概略的に示す一部破断正面図である。
【図７】図３に示す履物反転装置の作動過程を説明するために履物の向きが反転した状態を概略的に示す一部破断正面図である。
【図８】本発明の変形例に係る履物反転装置の内部構造を説明するために回転載置台を省略した状態を概略的に示す平面図である。
【図９】図８に示す９―９線から見た履物反転装置の内部構造の概略を回転載置台および中敷天板を破断した状態で示す一部破断正面図である。
【図１０】図９に示す履物反転装置の作動過程を説明するために使用者が載った状態の一過程を概略的に示す一部破断正面図である。
【発明を実施するための形態】
【００１７】
以下、本発明に係る履物反転装置の一実施形態について図面を参照しながら説明する。図１は、本発明に係る履物反転装置１００の外観構成を概略的に示す斜視図である。また、図２は、図１に示す履物反転装置１００の内部構造を概略的に示す平面図である。また、図３は、図１に示す履物反転装置１００の内部構造を概略的に示す一部破断正面図である。なお、本明細書において参照する図は、本発明の理解を容易にするために一部の構成要素を誇張して表わすなど模式的に表している。このため、各構成要素間の寸法や比率などは異なっていることがある。この履物反転装置１００は、一般家庭、企業、公共施設、病院、養護施設、飲食店または宿泊施設などにおいて、外から室内に入る際や室内から他の室内に入る際に脱いだ靴やスリッパなどの履物Ｓの向きを自動的に反転させて揃える機械装置である。
【００１８】
（履物反転装置１００の構成）
履物反転装置１００は、ベース体１０１を備えている。ベース体１０１は、この履物反転装置１００が設置される地面や床などの設置面Ｇ上に配置される鋼板製の部品であり、円板状の底板部１０１ａの外縁部から内壁部１０１ｂが起立した状態で形成されて構成されている。このベース体１０１の中心部には、載置台駆動軸１０２が設けられている。載置台駆動軸１０２は、後述する回転載置台１１８を回転自在に支持する軸部材であり、ベース体１０１の底板部１０１ａ上に回転自在に組み付けられている。
【００１９】
この載置台駆動軸１０２は、ベース体１０１側に歯車で構成された歯部１０２ａが形成されているとともに、この歯部１０２ａの図示上側に向かって互いに対向する２つの平行面が延びる取付部１０２ｂが形成されて構成されている。そして、載置台駆動軸１０２には、歯部１０２ａを介して割出回転体１０３が連結されるとともに取付部１０２ｂを介して回転載置台１１８が固定されている。
【００２０】
割出回転体１０３は、載置台駆動軸１０２を回転駆動するための部材であり、載置台駆動軸１０２の歯部１０２ａに噛み合う歯車によって構成されている。この割出回転体１０３は、ベース体１０１の底板部１０１ａ上に回転自在に組み付けられている。この場合、割出回転体１０３は、割出回転体１０３の図示上側に配置された仮止め体１０４によって自由な回転変位が規制されている。仮止め体１０４は、割出回転体１０３に噛み合う歯部を有して構成されており、底板部１０１ａに対して回動ピン１０４ａを介して回動自在に取り付けられた状態で底板部１０１ａに固定されたコイルバネによって割出回転体１０３に弾性的に押し付けられている。
【００２１】
この割出回転体１０３の上面には、係合体１０５が設けられている。係合体１０５は、割出回転体１０３を回転駆動させる際に使用される棒体であり、割出回転体１０３の上面において割出回転体１０３の周方向に沿って等間隔に起立した状態で複数設けられている。この場合、各係合体１０５は、各係合体１０５間に形成された割出回転体１０３の歯部１０２ａと噛み合うことによって載置台駆動軸１０２が半（１８０°）回転する間隔で設けられている。この係合体１０５は、本実施形態においては１６個設けられているが、載置台駆動軸１０２を半回転させることができれば設置数は適宜決定されるもである。
【００２２】
この割出回転体１０３上の係合体１０５には、回動引掛け片１０６およびロック引掛け片１１１がそれぞれ引掛けられている。回動引掛け片１０６は、係合体１０５に引掛けて割出回転体１０３を回転駆動させるための部材であり、鋼板を長尺に延びる板状体に形成して構成されている。この回動引掛け片１０６における一方（図示上側）の端部には、引掛け部１０６ａが形成されている。引掛け部１０６ａは、係合体１０５を引掛けるための部分であり、係合体１０５側に張り出した鉤状に形成されている。この場合、引掛け部１０６ａは、外側面が凸状の円弧状に形成されており、引掛け部１０６ａが引掛けられる係合体１０５に対して図示上側に隣接する係合体１０５に接触した際に接触した係合体１０５に摺動するように形成されている。
【００２３】
この回動引掛け片１０６は、引掛け部１０６ａとは反対側の他方（図示下側）の端部が作動アーム１０９に回動自在に連結されている。また、この場合、回動引掛け片１０６は、一方（図示上側）の端部が解除スプリング１０７によって図示上側に引っ張られるとともに、他方（図示下側）の端部が係合スプリング１０８によって作動アーム１０９側に向かって引っ張られて支持されている。
【００２４】
解除スプリング１０７は、作動アーム１０９が回動変位した際に回動引掛け片１０６を安定的に図示上側に変位させるためのコイルバネである。また、係合スプリング１０８は、回動引掛け片１０６を割出回転体１０３側に傾倒させて引掛け部１０６ａを係合体１０５に引掛けるためのコイルバネである。
【００２５】
作動アーム１０９は、回動引掛け片１０６およびロック引掛け片１１１をそれぞれ回動させるための棒状の部材である。より具体的には、作動アーム１０９は、ベース体１０１内において底板部１０１ａに対して平行に延びる板状体で構成されており、一方（図示右側）の端部側が底板部１０１ａに対して支点ピン１０９ａを介して回動自在な状態で支持されている。すなわち、作動アーム１０９は、底板部１０１ａに回動自在に支持する支点ピン１０９ａを支点とするてこを構成している。この作動アーム１０９は、支点ピン１０９ａからの距離が短い一方（図示右側）の端部に駆動源１１０が連結されているとともに、支点Ｏと駆動源１１０との間の部分にロック引掛け片１１１が設けられている。また、この作動アーム１０９における支点ピン１０９ａからの距離が長い他方（図示左側）の端部には、前記回動引掛け片１０６が回動自在に連結されている。
【００２６】
駆動源１１０は、作動アーム１０９をてことして作動させるための力を発生する部材であり、図４に示すように、鋼板の一部を図示上側に湾曲させた板バネで構成されている。この駆動源１１０は、一方（図示上側）の端部がベース体１０１の底板部１０１ａに固定されるとともに、他方（図示下側）の端部が作動アーム１０９における一方（図示右側）の端部に連結されている。この場合、駆動源１１０は、図示上方に向かって湾曲した部分における上端部が内壁部１０１ｂから張り出してベース体１０１の図示上方に配置される中敷天板１１６の下面に接触するように設けられる。
【００２７】
ロック引掛け片１１１は、係合体１０５に引掛けて割出回転体１０３の回転駆動を阻止するための部材であり、鋼板を長尺に延びる板状体に形成して構成されている。このロック引掛け片１１１における一方（図示上側）の端部には、ロック部１１１ａが形成されている。ロック部１１１ａは、係合体１０５を引掛けるための部分であり、係合体１０５が嵌る凹状に形成されている。このロック引掛け片１１１は、回転載置台１１８が上昇位置に位置する場合に係合体１０５に引っ掛かるように作動アーム１０９における一方（図示右側）の端部側から延びて形成されている。
【００２８】
また、作動アーム１０９には、復帰スプリング１１２、ストッパ１１３およびダンパー１１４がそれぞれ設けられている。復帰スプリング１１２は、回転載置台１１８が上昇位置に位置する場合において回動引掛け片１０６を係合体１０５に確実に引掛けるために駆動源１１０を補助して作動アーム１０９を図示下側に引っ張るためのコイルバネである。また、ストッパ１１３は、作動アーム１０９回転載置台１１８が上昇位置に位置する場合における変位限界位置を規定するための部品である。また、ダンパー１１４は、ロック引掛け片１１１が割出回転体１０３から離隔した状態から同割出回転体１０３側に接近変位する際にロック引掛け片１１１の変位に負荷を与える部品であり、ロック引掛け片１１１の変位に応じて伸縮する油圧ダンパーによって構成されている。
【００２９】
また、ベース体１０１の底板部１０１ａには、支持スプリング１１５が設けられている。支持スプリング１１５は、ベース体１０１の上方にて回転載置台１１８を中敷天板１１６を介して上下動可能に支持するためのコイルバネである。この支持スプリング１１５は、ベース体１０１内における底板部１０１ａの外縁部に沿って複数設けられている。本実施形態においては、支持スプリング１１５は、底板部１０１ａ上に１１個設けられている。
【００３０】
中敷天板１１６は、支持スプリング１１５上において回転載置台１１８を摺動可能な状態で支持する部材であり、鋼板を底板部１０１ａよりも小さな外径のリング状に形成して構成されている。この中敷天板１１６は、載置台駆動軸１０２の取付部１０２ｂを貫通した状態で支持スプリング１１５および駆動源１１０上に配置されている。また、中敷天板１１６における回転載置台１１８に対向する上面には、径方向内側部分および径方向外側部分に凹部が形成されるとともにこの凹部上に支持球１１７がそれぞれ配置されている。
【００３１】
支持球１１７は、中敷天板１１６上において回転載置台１１８を回転摺動自在に支持するための鋼球である。この支持球１１７は、中敷天板１１６における径方向内側部分および径方向外側部分にそれぞれ８個ずつ設けられている。
【００３２】
回転載置台１１８は、人が脱いだ履物Ｓを支持するための鋼板製の部品であり、円板状の載置部１１８ａの外縁部から外壁部１１８ｂが下垂した状態で形成されて構成されている。この場合、回転載置台１１８は、載置部１１８ａ上に人が載って履物Ｓの脱ぎ履きを行っても耐えられる強度を有して構成されている。また、回転載置台１１８は、載置部１１８ａがベース体１０１の外形よりも大きく形成されており、外壁部１１８ｂがベース体１０１の外側に下垂するように構成されている。
【００３３】
この場合、外壁部１１８ｂは、載置部１１８ａ上に人が載って下降した際に外壁部１１８ｂの下端部がベース体１０１の設置面Ｇ上に載置される長さに形成されている。そして、この回転載置台１１８は、ベース体１０１の上方を覆うようにベース体１０１に被せられて支持スプリング１１５上に支持された状態で載置台駆動軸１０２の取付部１０２ｂに固定袋ネジ１１９によって固定されている。本実施形態においては、履物反転装置１００は、ベース体１０１の下面と回転載置台１１８の上面との厚さ、すなわち、履物反転装置１００の高さは２５ｍｍに形成されている。
【００３４】
（履物反転装置１００の作動）
次に、上記のように構成した履物反転装置１００の作動について説明する。まず、履物反転装置１００の使用者は、履物反転装置１００を用意した後、この履物反転装置１００を利用する場所に履物反転装置１００をセットする。この場合、使用者は、玄関や部屋の入口などの履物Ｓを脱ぎ履きする場所の地面や床を設置面Ｇとして履物反転装置１００を配置する。
【００３５】
次に、使用者は、この履物反転装置１００を使用する。具体的には、使用者は、履物Ｓを履いた状態で回転載置台１１８の載置部１１８ａ上に載る。これにより、履物反転装置１００は、図４および図５にそれぞれ示すように、回転載置台１１８が支持スプリング１１５および駆動源１１０の弾性力に抗しながら下降することによって駆動源１１０が伸長するため、駆動源１１０に連結された作動アーム１０９が支点ピン１０９ａを中心として時計回りに回動を開始する。
【００３６】
したがって、作動アーム１０９の先端部に連結された回動引掛け片１０６は、駆動源１１０の伸長量よりも大きな変位量で引掛け部１０６ａの上辺が引掛け部１０６ａの図示上方に位置する係合体１０５に接触して摺動する。すなわち、作動アーム１０９は、変位拡大機構として機能する。そして、回動引掛け片１０６ａは、係合体１０５が引掛け部１０６ａの上辺先端部に位置するまで図示左側に傾倒した後、係合体１０５から外れてこの係合体１０５に引掛け部１０６ａが係合スプリング１０８によって引掛けられる。
【００３７】
一方、作動アーム１０９に固定的に連結されたロック引掛け片１１１は、作動アーム１０９の回動変位によって図示右側に向かって傾倒するため、ロック部１１１ａが係合体１０５から離隔する。これにより、割出回転体１０３の回転変位がロックされた状態が解除される。しかし、この場合、割出回転体１０３は、仮止め体１０４が噛み合っているためロック引掛け片１１１によるロックが解除された場合であっても回転変位することはない。
【００３８】
回転載置台１１８の載置部１１８ａ上に使用者が載って回転載置台１１８が下降すると、回転載置台１１８の下端部は直ちに設置面Ｇに接地する。これにより、履物反転装置１００は、回転載置台１１８が設置面Ｇに対して使用者の荷重を支える。そして、回転載置台１１８の載置部１１８ａ上の使用者は、回転載置台１１８上で履物Ｓを脱ぐ。この場合、履物反転装置１００は、回転載置台１１８が設置面Ｇに対してリング状に接地しているため、ベース体１０１の底板部１０１ａの全面で人の荷重を支持する場合に比べて安定的に人を支持することができる。
【００３９】
回転載置台１１８の載置部１１８ａ上で履物Ｓを脱ぎ終えた使用者は、回転載置台１１８上から降りて履物反転装置１００から離れる。これにより、履物反転装置１００は、回転載置台１１８が支持スプリング１１５および駆動源１１０の弾性力によって上昇するとともに作動アーム１０９が駆動源１１０および復帰スプリング１１２の各収縮に対応して支点ピン１０９ａを中心として反時計回りに回動を開始する。この場合、割出回転体１０３は、係合体１０５に作動アーム１０９に連結された回動引掛け片１０６が引掛けられているため、作動アーム１０９が復帰する変位力によって仮止め体１０３の押圧力に抗しながら反時計回りに回転変位する。
【００４０】
これにより、回転載置台１１８は、載置台駆動軸１０２の回転駆動を介して中敷天板１１６上を時計回りに回転駆動しながら上昇する。より具体的には、回転載置台１１８は、割出回転体１０３が係合体１０５の１つ分だけ回転変位することによって載置台駆動軸１０２が半回転するため、使用者が回転載置台１１８から離れた位置から半回転（１８０°）だけ回転変位する（図５において破線矢印参照）。また、この場合、作動アーム１０９は、ロック引掛け片１１１を介してダンパー１１４による負荷が作用しているため、使用者が回転載置台１１８上から離れた後、所定のタイムラグを介してゆっくりと変位を開始する。これにより、履物反転装置１００は、図７に示すように、使用者が履物Ｓを脱いだ後、タイムラグを介して脱いだ履物Ｓの向きを１８０°だけ反転させることができる。
【００４１】
一方、回転載置台１１８上に脱いだ履物Ｓを再び履く場合には、使用者は、向きが反転した履物Ｓが載置されている回転載置台１１８の載置部１１８ａ上に載って履物Ｓを履くことができる。この場合においても、履物反転装置１００は、使用者が回転載置台１１８上に載っている間回転載置台１１８が下降した状態を維持するとともに、回転載置台１１８上から使用者が立ち去った後には回転変位しながら上昇する。
【００４２】
上記作動説明からも理解できるように、上記実施形態によれば、履物反転装置１００は、人が載って履物Ｓを脱ぎ履きする回転載置台１１８が履物反転装置１００の設置面Ｇ上に配置されるベース体１０１の外側に下垂した外壁部１１８ｂを備えるとともに、この外壁部１１８ｂが回転載置台１１８上に人が載って下降した場合において設置面Ｇ上に載置される長さに形成されている。すなわち、履物反転装置１００は、人が載って履物Ｓを脱ぎ履きする回転載置台１１８が回転載置台１１８上に人が載った場合において履物反転装置１００の設置面Ｇによって支持されるため、ベース体１０１は人が載った状態の回転載置台１１８を支持することがない。これにより、履物反転装置１００は、ベース体１０１を従来に比べて簡単に構成することができるため、装置全体を経済的かつコンパクトに構成することができる。また、この履物反転装置１００は、人が載った際に回転載置台１１８が設置面Ｇに押し付けられるため、人が載った際の回転変位を簡単な構成で防止できるとともに回転載置台１１８がベース体１０１を介することなく直接設置面Ｇに支持されるため人が載った際の安定性を向上させることができる。
【００４３】
さらに、本発明の実施にあたっては、上記実施形態に限定されるものではなく、本発明の目的を逸脱しない限りにおいて種々の変更が可能である。なお、各変形例の説明においては、上記実施形態と同様の部分については同じ符号を付して重複する説明は省略する。
【００４４】
例えば、上記実施形態においては、履物反転装置１００は、主として、載置台駆動軸１０２、割出回転体１０３、作動アーム１０９、駆動源１１０および回動引掛け片１０６によって回転載置台１１８を回転駆動するように構成した。すなわち、載置台駆動軸１０２、割出回転体１０３、作動アーム１０９、駆動源１１０および回動引掛け片１０６が本発明に係る回転変位機構に相当する。しかし、回転変位機構は、回転載置台１１８を回転させて履物Ｓを反転させることができるように構成されていればよく、必ずしも上記実施形態に限定されるものではない。したがって、回転変位機構は、上記実施形態とは異なる機械的機構のほかに、モータなどを用いた電気的機構によって回転載置台１１８を回転駆動するように構成することもできる。
【００４５】
また、上記実施形態においては、回転載置台１１８は、外壁部１１８ｂの下端面を平面状に形成した。しかし、回転載置台１１８は、外壁部１１８ｂの下端面を凹凸面に構成することもできる。これによれば、回転載置台１１８は、回転載置台１１８上に人が載った場合において人の荷重が外壁部１１８ｂの下端面の凸部に集中するため、回転載置台１１８上で履物Ｓの脱ぎ履きを行う際の回転載置台１１８の位置ずれをより効果的に抑制することができる。また、回転載置台１１８は、外壁部１１８ｂの下端面をゴム材などの弾性体で構成することによって外壁部１１８ｂの設置面Ｇに対する滑りを抑制できるとともに設置面Ｇに損傷を与えることも防止することができる。
【００４６】
また、上記実施形態においては、履物反転装置１００は、作動アーム１０９にロック引掛け片１１１を備えて構成した。これにより履物反転装置１００は、回転載置台１１８が上昇位置にあるときにおける回転載置台１１８が徒に回転変位することを防止することができるとともに回転載置台１１８の下降による作動アーム１０９の作動時には簡単に割出回転体１０３のロック状態を解除することができる。しかし、履物反転装置１００は、ロック引掛け片１１１を作動アーム１０９以外の部分に独立して設けることができるとともに、前記作用効果が不要の場合にはロック引掛け片１１１を省略することもできる。また、ロック引掛け片１１１は、図８〜図１０にそれぞれ示すように、作動アーム１１１と一体的形成することもできる。なお、履物反転装置１００は、仮止め体１０４のみによっても回転載置台１１８が上昇位置にあるときにおける回転載置台１１８の回転変位をある程度防止することはできる。
【００４７】
また、上記実施形態においては、履物反転装置１００は、回動引掛け片１０６およびロック引掛け片１１１の引掛け状態が解除された際に割出回転体１０３が徒に回転変位することを防止するために仮止め体１０４を備えて構成した。すなわち、仮止め体１０４が、本発明に係る回転変位抑制手段に相当する。しかし、仮止め体１０４は、例えば、図８〜図１０にそれぞれ示すように、割出回転体１０３に代えて載置台駆動軸１０２の歯部１０２ａに弾性的に噛み合うように構成することもできる。この場合、仮止め体１０４は、歯部１０２ａに噛み合う歯部がねじりコイルバネ１０４ｂを介してロック引掛け片１１１に連結されている。なお、履物反転装置１００は、回動引掛け片１０６およびロック引掛け片１１１の引掛け状態が解除された際の割出回転体１０３の回転変位が許容される場合には、仮止め体１０４を省略して構成することもできる。
【００４８】
また、上記実施形態においては、割出回転体１０３は、図示上面にピン状の係合体１０５を備えて構成されている。しかし、係合体１０５は、回動引掛け片１０６に引っ掛けられて割出回転体１０３を回転駆動させることがでれば、必ずしも上記実施形態に限定されるものではない。例えば、係合体１０５は、図８に示すように、円板体の外周部に回動引掛け片１０６の引掛け部１０６ａが引っ掛けられる引掛け片が張り出した歯車状に形成することができる。
【００４９】
また、上記実施形態においては、履物反転装置１００は、回転載置台１１８上から使用者から降りた場合、駆動源１１０および復帰スプリング１１２の弾性力によって作動アーム１０９が図示下方に変位するように構成した。しかし、履物反転装置１００は、例えば、図８に示すように、復帰スプリング１１２の弾性力を増強することによって復帰スプリング１１２のみで作動アーム１０９を図示下方に変位するように構成することもできる。
【００５０】
また、上記実施形態においては、履物反転装置１００は、使用者が載った回転載置台１１８を設置面Ｇと支持スプリング１１５によって支持するように構成した。しかし、履物反転装置１００は、これらに加えて、例えば、図８〜図１０にそれぞれ示すように、ベース体１０１の底板部１０１ａ上に補助支柱１２０を周方向に略均等に複数配置（本変形例では４つ）して使用者が載った状態の回転載置台１１８を支持することができる。ここで、補助支柱１２０は、使用者が載って下降した回転載置台１１８の下面を支持できる長さの円柱体で構成することができる。また、補助支柱１２０は、金属材などの剛体で構成することができるが、ゴム材などの弾性変形可能な材料で構成することができる。また、この場合、中敷天板１１６には、補助支柱１２０に対応する位置に貫通孔１１６ａを形成しておく。これによれば、履物反転装置１００は、使用者が載った状態の回転載置台１１８を補助支柱１２０によって支持することができるため、使用者が載った載置部１１８ａの凹み変形を抑えることができる。
【００５１】
また、上記実施形態においては、履物反転装置１００は、作動アーム１０９を駆動するための力を発生させる駆動源１１０を板バネで構成した。すなわち、駆動源１１０が本発明に係る入力側駆動手段に相当する。しかし、入力側駆動手段は、作動アーム１０９を駆動するための力を発生するものであればよく、必ずしも上記実施形態に限定されるものではない。したがって、入力側駆動手段（駆動源１１０）は、板バネ以外の弾性体（例えば、コイルバネや渦巻きバネ）のほか、リンク機構や各種アクチュエータ（例えば、電動モータ）で構成することもできる。
【００５２】
例えば、入力側駆動手段（駆動源１１０）は、図８〜図１０にそれぞれ示すように、蝶番（例えば、平型蝶番やスエージング蝶番）で構成することもできる。この場合、蝶番からなる駆動源１１０は、一方の端部が底板部１０１ａに固定されるとともに他方の端部が作動アーム１０９に一体的に形成されたロック引掛け片１１１に連結された状態で底板１０１ａ上をスライド可能に設けられる。すなわち、駆動源１１０における他方の端部が連結されるロック引掛け片１１１は、作動アーム１０９の一部、具体的には、支点ピン１０９ａからの距離が短い方の端部を兼ねている。そして、この駆動源１１０は、蝶番の中央部の回動連結部分が中敷天板１１６の下面に接触している。
【００５３】
このように構成した図８〜図１０にそれぞれ示した履物反転装置１００においては、回転載置台１１８上に使用者が載ると、蝶番からなる駆動源１１０における前記他方の端部が図示破線矢印の方向に伸長するため、作動アーム１０９およびロック引掛け片１１１が支点ピン１０９ａを中心としてそれぞれ時計回りに回動する。これにより、割出回転体１０３のロック状態が解除されるとともに回動引掛け片１０６が図示上側に変位して次の係合体１０５を引っ掛ける。また、この場合、回転載置台１１８は、前記したように、補助支柱１２０に支持されるため、凹状に凹む変形が抑制される。
【００５４】
そして、回転載置台１１８の載置部１１８ａ上から使用者が降りると、作動アーム１０９およびロック引掛け片１１１が復帰スプリング１１２の収縮による弾性力によって支点ピン１０９ａを中心としてそれぞれ反時計回り回動する。これにより、回転載置台１１８は、上記実施形態と同様に、載置台駆動軸１０２の回転駆動を介して中敷天板１１６上を時計回りに回転駆動しながら上昇して履物Ｓの向きを反転させる。なお、図８〜図１０にそれぞれ示した履物反転装置１００においては、解除スプリング１０７、ストッパ１１３およびダンパ１１４をそれぞれ省いて構成している。
【００５５】
また、上記実施形態においては、履物反転装置１００は、ロック引掛け片１１１を介して作動アーム１０９にダンパー１１４を設けて構成した。これにより、履物反転装置１００は、回転載置台１１８の下降後回転しながら上昇する作動の開始にタイムラグを与えることができるとともにこの作動過程をゆっくり行うことができ、使用者が履物Ｓを脱いで回転載置台１１８上から退避した後、ゆっくりと回転動作を開始するため、回転載置台１１８上からの退避の障害とならず使用感を向上させることができる。すなわち、ダンパー１１４が、本発明に係る負荷付与手段に相当する。しかし、この負荷付与手段は、作動アーム１０９における復帰時の変位に対して負荷を与えることができるように構成されていればよく、必ずしも、上記実施形態に限定されるものではない。したがって、負荷付与手段は、ダンパー以外の機器、例えば、コイルスプリングや板バネなどで構成することもできる。
【符号の説明】
【００５６】
Ｇ…設置面、Ｓ…履物、
１００…履物反転装置、１０１…ベース体、１０１ａ…底板部、１０１ｂ…内壁部、１０２…載置台駆動軸、１０２ａ…歯部、１０２ｂ…取付部、１０３…割出回転体、１０４…仮止め体、１０４ａ…回動ピン、１０４ｂ…ねじりコイルバネ、１０５…係合体、１０６…回動引掛け片、１０６ａ…引掛け部、１０７…解除スプリング、１０８…係合スプリング、１０９…作動アーム、１０９ａ…支点ピン、１１０…駆動源、１１１…ロック引掛け片、１１１ａ…ロック部、１１２…復帰スプリング、１１３…ストッパ、１１４…ダンパー、１１５…支持スプリング、１１６…中敷天板、１１６ａ…貫通孔、１１７…支持球、１１８…回転載置台、１１８ａ…載置部、１１８ｂ…外壁部、１１９…固定袋ネジ、１２０…補助支柱。
【図１】
2014168673.tif 000003
【図２】
2014168673.tif 000004
【図３】
2014168673.tif 000005
【図４】
2014168673.tif 000006
【図５】
2014168673.tif 000007
【図６】
2014168673.tif 000008
【図７】
2014168673.tif 000009
【図８】
2014168673.tif 000010
【図９】
2014168673.tif 000011
【図１０】
2014168673.tif 000012